(57)【要約】【課題】複数の電源部が存在する状況でそれらの出力の異常を安価かつ的確に検出する。【解決手段】起動することによりそれぞれに電圧を出力する複数の電源部と一対一で一端を接続させた複数の第１抵抗と、前記複数の第１抵抗の各他端に一端を共通して接続させ、かつ、他端を接地端子に接続させた第２抵抗と、前記複数の第１抵抗の各他端と前記第２抵抗の一端とが共通して接続する共通接続点に生じる電圧を入力するポートを有し、当該ポートにより入力した電圧と所定のしきい値との比較に応じて前記電源部の出力の異常を検知する制御部とを備え、前記制御部は、前記電源部を起動させるタイミングを前記電源部毎にずらし、起動している電源部の少なくとも一部が異なる状況毎に前記しきい値を異ならせる異常検知回路。【選択図】図２
2015210152.tif 000002
【特許請求の範囲】
【請求項１】
起動することによりそれぞれに電圧を出力する複数の電源部と一対一で一端を接続させた複数の第１抵抗と、
前記複数の第１抵抗の各他端に一端を共通して接続させ、かつ、他端を接地端子に接続させた第２抵抗と、
前記複数の第１抵抗の各他端と前記第２抵抗の一端とが共通して接続する共通接続点に生じる電圧を入力するポートを有し、当該ポートにより入力した電圧と所定のしきい値との比較に応じて前記電源部の出力の異常を検知する制御部と、を備え、
前記制御部は、前記電源部を起動させるタイミングを前記電源部毎にずらし、起動している電源部の少なくとも一部が異なる状況毎に前記しきい値を異ならせる、ことを特徴とする異常検知回路。
【請求項２】
前記複数の電源部は、第１レベルの電圧を出力する第１電源部と、当該第１レベルと異なる第２レベルの電圧を出力する第２電源部とを含み、
前記制御部は、前記第１電源部を起動させた後で前記第２電源部を起動させ、前記第１電源部のみを起動させている状況では前記しきい値として第１しきい値を用い、前記第１電源部および前記第２電源部を起動させている状況では前記しきい値として前記第１しきい値と異なる第２しきい値を用いることを特徴とする請求項１に記載の異常検知回路。
【請求項３】
前記制御部は、前記第２しきい値としての複数の異なるしきい値と前記ポートにより入力した電圧とを比較することにより、前記異常が第１電源部の出力の開放と、前記第１電源部の出力の短絡と、前記第２電源部の出力の開放と、前記第２電源部の出力の短絡と、のいずれであるかを検知することを特徴とする請求項２に記載の異常検知回路。
【請求項４】
前記制御部は、いずれかの前記電源部を起動させた後、所定時間の経過を待って、そのとき起動させている前記電源部の出力の異常の検知を開始することを特徴とする請求項１〜請求項３のいずれかに記載の異常検知回路。
【発明の詳細な説明】
【技術分野】
【０００１】
本発明は、異常検知回路に関する。
【背景技術】
【０００２】
電子機器や家電製品においては、稼働中の安全性を担保するために、内部で発生させる電圧が異常であるか否かの検知を行う。
関連技術として、一方の電源に一端を接続させた抵抗と、他方の電源に一端を接続させた抵抗と、これら各抵抗の各他端に共通接続された分圧抵抗とを有し、前記各抵抗と分圧抵抗との共通接続点の電位が検出信号としてマイクロコンピュータへ導出される電源異常検出装置が知られている（特許文献１参照）。
【先行技術文献】
【特許文献】
【０００３】
【特許文献１】特開２００２‐２６７６９６号公報
【発明の概要】
【発明が解決しようとする課題】
【０００４】
図５は、従来の異常検知回路１を示している。異常検知回路１は、電源部２の出力および電源部３の出力の異常を検知するためのマイクロコンピューター（マイコン）４を有する。電源部２および電源部３は、例えば、それぞれが入力した電圧を、所要レベルの電圧に変換して出力するレギュレータである。電源部２，３がそれぞれ出力する各レベルの電圧は、異常検知回路１が搭載された装置が備える各負荷へ印加される。また、電源部２の出力ラインＬ１に対しては、ダイオードＤ１がカソードを向けて接続されており、電源部３の出力ラインＬ２に対しては、ダイオードＤ２がカソードを向けて接続されている。ダイオードＤ１のアノードおよびダイオードＤ２のアノードは、マイコン４が有するＡ／Ｄ入力ポート５と繋がった入力ラインＬ３に接続している。入力ラインＬ３は、所定の基準電圧Ｖｃｃ（例えば３．３Ｖ）によって、抵抗Ｒｐを介してプルアップされている。
【０００５】
異常検知回路１においては、電源部２からの出力、電源部３からの出力のいずれも正常な状態であれば、入力ポート５には、約３．３Ｖが入力される。一方、電源部２からの出力ラインＬ１、電源部３からの出力ラインＬ２のいずれかが短絡している（グラウンドと短絡している）状態では、入力ポート５における電圧もグラウンドレベルへ低下する。そのため、マイコン４は、このような入力ポート５における電圧の変化に応じて異常（前記短絡）を検知することができる。
【０００６】
しかしながらダイオードは比較的高価な電子部品であるため、図５の構成では、異常検知回路の製造に高いコストがかかっていた。また、入力ラインＬ３に基準電圧Ｖｃｃを印加する必要があるため、異常検知回路に必要な基板面積も大きかった。
また、それぞれに所要レベルの電圧を出力する複数の電源部は、それらが起動するタイミングは必ずしも同じではない。そのため、起動している電源部が異なる状況毎に適切に異常検知を実行しなければならない。
【０００７】
本発明は上述の課題の少なくとも一つを解決するためになされたものであり、それぞれに電圧を出力する複数の電源部が存在する状況でそれら出力の異常を安価かつ的確に検出することが可能な異常検知回路を提供する。
【課題を解決するための手段】
【０００８】
本発明の態様の一つは、異常検知回路は、起動することによりそれぞれに電圧を出力する複数の電源部と一対一で一端を接続させた複数の第１抵抗と、前記複数の第１抵抗の各他端に一端を共通して接続させ、かつ、他端を接地端子に接続させた第２抵抗と、前記複数の第１抵抗の各他端と前記第２抵抗の一端とが共通して接続する共通接続点に生じる電圧を入力するポートを有し、当該ポートにより入力した電圧と所定のしきい値との比較に応じて前記電源部の出力の異常を検知する制御部とを備え、前記制御部は、前記電源部を起動させるタイミングを前記電源部毎にずらし、起動している電源部の少なくとも一部が異なる状況毎に前記しきい値を異ならせる。
【０００９】
本発明によれば、制御部は、電源部を起動させるタイミングを電源部毎にずらし、起動している電源部の少なくとも一部が異なる状況毎に、前記ポートで入力した電圧と比較するためのしきい値を異ならせる。したがって、複数の電源部のうち一つ以上の電源部が起動しているそれぞれの状況において、電源部の出力の異常を的確に検知することができる。また、本発明は、図５の異常検知回路１のようにダイオードを使用するものでなく、かつ、前記ポートに対する基準電圧Ｖｃｃによるプルアップも必要としないため、従来よりも安価かつ簡易（かつコンパクト）な構成の異常検知回路を提供できる。
【００１０】
本発明の技術的思想は、異常検知回路以外の態様によって実現されてもよい。例えば、異常検知回路が実行する処理を方法（異常検知方法）の発明として捉えたり、当該処理を前記制御部に実行させるためのプログラムや、当該プログラムを記憶したコンピューター読取可能な記憶媒体を、それぞれ発明として捉えることができる。また、異常検知回路という単位ではなく、異常検知回路を搭載した電子機器や家電製品を一つの発明として捉えることも可能である。
【図面の簡単な説明】
【００１１】
【図１】本実施形態の異常検知回路を示す図。
【図２】第１実施例の異常検知処理を示すフローチャート。
【図３】電源部の出力に異常がある場合の回路を示す図。
【図４】第２実施例の異常検知処理を示すフローチャート。
【図５】従来の異常検知回路を示す図。
【発明を実施するための形態】
【００１２】
本発明の実施形態として、前記複数の電源部は、第１レベルの電圧を出力する第１電源部と、当該第１レベルと異なる第２レベルの電圧を出力する第２電源部とを含み、前記制御部は、前記第１電源部を起動させた後で前記第２電源部を起動させ、前記第１電源部のみを起動させている状況では前記しきい値として第１しきい値を用い、前記第１電源部および前記第２電源部を起動させている状況では前記しきい値として前記第１しきい値と異なる第２しきい値を用いるとしてもよい。
また、本発明の実施形態として、前記制御部は、前記第２しきい値としての複数の異なるしきい値と前記ポートにより入力した電圧とを比較することにより、前記異常が第１電源部の出力の開放と、前記第１電源部の出力の短絡と、前記第２電源部の出力の開放と、前記第２電源部の出力の短絡と、のいずれであるかを検知するとしてもよい。
また、本発明の実施形態として、前記制御部は、いずれかの前記電源部を起動させた後、所定時間の経過を待って、そのとき起動させている前記電源部の出力の異常の検知を開始するとしてもよい。
【００１３】
以下、図面を参照しながら本発明の実施形態を更に説明する。
（第１実施例）
図１は、実施形態における異常検知回路１０を示している。異常検知回路１０は、電源部２０の出力および電源部３０の出力の異常を検知するためのマイコン４０を有する。例えば、電源部２０は、入力した電圧を第１レベルの電圧Ｖ１に変換して出力ラインＬ１１から出力するレギュレータであり、電源部３０は、入力した電圧を第２レベルの電圧Ｖ２に変換して出力ラインＬ２１から出力するレギュレータである。
【００１４】
例えば、電圧Ｖ１は、１２Ｖの直流であり、電圧Ｖ２は、５Ｖの直流である。電源部２０，３０がそれぞれ出力する電圧Ｖ１，Ｖ２は、異常検知回路１０が搭載された装置１００が備える各負荷へ印加される。電源部２０，３０へそれぞれ入力される電圧は、不図示の電源回路が商用のＡＣ電源から生成した電圧である。装置１００には、このような複数の電源部を内蔵する電子機器や家電製品であればあらゆる物が該当し、一例として、テレビ、レコーダ、モバイル機器、その他、通信機器やＡＶ機器等が該当する。
【００１５】
電源部２０の出力ラインＬ１１に対しては、抵抗Ｒ１が一端を接続させており、電源部３０の出力ラインＬ２１に対しては、抵抗Ｒ２が一端を接続させている。抵抗Ｒ１の他端および抵抗Ｒ２の他端はいずれも、マイコン４０が有するＡ／Ｄ入力ポート５０と繋がった入力ラインＬ３１に接続している。さらに入力ラインＬ３１へは、抵抗Ｒ３が一端を接続させており、当該抵抗Ｒ３の他端は接地端子（グラウンドＧＮＤ）に接続している。
【００１６】
電源部２０，３０は、「複数の電源部」の一例であり、抵抗Ｒ１，Ｒ２は、「複数の電源部と一対一で一端を接続させた複数の第１抵抗」の一例である。また、抵抗Ｒ３は、「第１抵抗の各他端に一端を共通して接続させ、かつ、他端を接地端子に接続させた第２抵抗」の一例であり、マイコン４０は、「複数の第１抵抗の各他端と第２抵抗の一端とが共通して接続する共通接続点（接続点Ｕ）に生じる電圧（電圧Ｖ３）を入力するポート（入力ポート５０）を有し、当該ポートにより入力した電圧（電圧Ｖ３）と所定のしきい値ＴＨとの比較に応じて電源部の出力の異常を検知する制御部」の一例である。マイコン４０は、電源部２０、電源部３０それぞれの起動のタイミングを制御する。
【００１７】
図２は、マイコン４０が本実施例にかかるプログラムに従って実行する異常検知処理を示すフローチャートである。
ステップＳ１００では、マイコン４０は、電源部２０を起動させる。つまり、電源部２０に起動指示Ｃ１を送信し、電源部２０に電圧Ｖ１の出力を開始させる。
【００１８】
ステップＳ１１０では、マイコン４０は、電源部３０を起動させたか否か判定する。マイコン４０は、複数の電源部を起動させるタイミングを電源部毎にずらす。本実施例では、マイコン４０は、電源部２０を起動させた後の所定タイミングで電源部３０へ起動指示Ｃ２を送信し、電源部３０を起動させる（電源部３０に電圧Ｖ２の出力を開始させる）。このような構成によれば、電源部２０は「第１電源部」に該当し、電源部３０は「第２電源部」に該当する。電源部２０を起動させてから何秒後に電源部３０を起動させるかは前記プログラムによって規定されている。したがって、マイコン４０は、自ら電源部３０を起動させた（電源部３０に起動指示Ｃ２を送信した）ことを条件として、電源部３０を起動させたと判定し、ステップＳ１３０を実行する。一方、電源部２０を起動させてから電源部３０を起動させるまでの間は、マイコン４０はステップＳ１２０を実行する。ステップＳ１２０への移行後も、ステップＳ１１０の判定を繰り返し行う。
【００１９】
ステップＳ１２０では、マイコン４０は、前記しきい値ＴＨとしてしきい値ＴＨ１（第１しきい値）を設定する。電源部２０，３０のうち電源部２０だけが起動している場合、電源部２０の出力に異常がなければ、接続点Ｕに生じる電圧Ｖ３は、電圧Ｖ１を抵抗Ｒ１と抵抗Ｒ３との比に応じて分圧した値（以下、第１正常値）、つまり、
Ｖ３＝Ｖ１・Ｒ３／（Ｒ１＋Ｒ３）、となる。
【００２０】
一方、電源部２０の出力に異常が有る場合（出力ラインＬ１１が開放（オープン）になったり短絡（ショート）したりしている場合）は、電圧Ｖ３は、このような第１正常値を大きく下回る。したがって、マイコン４０は、第１正常値を（ある程度の誤差を考慮して）やや下回る値を、しきい値ＴＨ１とする。しきい値ＴＨ＝ＴＨ１と設定した場合、マイコン４０は、入力ポート５０から入力する電圧Ｖ３としきい値ＴＨ１とを比較する。そして、
Ｖ３≧ＴＨ１であれば電源部２０の出力は正常と判定し、
Ｖ３＜ＴＨ１であれば電源部２０の出力に異常（開放あるいは短絡）が有ると判定する。
【００２１】
ステップＳ１３０では、マイコン４０は、前記しきい値ＴＨとしてしきい値ＴＨ２（第２しきい値）を設定する。電源部２０および電源部３０が起動している場合、それらいずれの出力にも異常がなければ、接続点Ｕに生じる電圧Ｖ３は、電圧Ｖ１，Ｖ２および抵抗Ｒ１，Ｒ２，Ｒ３を用いて、キルヒホッフの法則により下記式（１）で求められる。
Ｖ３＝（Ｒ３（Ｒ２・Ｖ１＋Ｒ１・Ｖ２）／（Ｒ１・Ｒ２＋Ｒ１・Ｒ３＋Ｒ２・Ｒ３）                                                                    …（１）
【００２２】
式（１）で算出される電圧Ｖ３を便宜上、第２正常値と呼ぶ。
一方、電源部２０および電源部３０が起動しているにもかかわらず、それらいずれかの出力に異常が有る場合、電圧Ｖ３は、図３を用いてに説明するように以下の値となる。
【００２３】
電源部２０の出力ラインＬ１１が開放になると、異常検知回路１０の回路は、図３Ａのように仮想的に表現できる。この場合、接続点Ｕに生じる電圧Ｖ３は、電圧Ｖ２を抵抗Ｒ２と抵抗Ｒ３との比に応じて分圧した値（以下、第１異常値）、つまり、
Ｖ３＝Ｖ２・Ｒ３／（Ｒ２＋Ｒ３）、となる。
【００２４】
電源部２０の出力ラインＬ１１がグラウンドと短絡すると、異常検知回路１０の回路は、図３Ｂのように仮想的に表現できる。この場合、接続点Ｕに生じる電圧Ｖ３は、電圧Ｖ２を抵抗Ｒ２と抵抗Ｒ１，Ｒ３の合成抵抗（Ｒ１３＝１／（１／Ｒ１＋１／Ｒ３））との比に応じて分圧した値（以下、第２異常値）、つまり、
Ｖ３＝Ｖ２・Ｒ１３／（Ｒ２＋Ｒ１３）、となる。
【００２５】
電源部３０の出力ラインＬ２１が開放になると、異常検知回路１０の回路は、図３Ｃのように仮想的に表現できる。この場合、接続点Ｕに生じる電圧Ｖ３は、電圧Ｖ１を抵抗Ｒ１と抵抗Ｒ３との比に応じて分圧した値（以下、第３異常値）、つまり、
Ｖ３＝Ｖ１・Ｒ３／（Ｒ１＋Ｒ３）、となる。なお、第３異常値は、ステップＳ１２０の説明で用いた第１正常値と同じである。
【００２６】
電源部３０の出力ラインＬ２１がグラウンドと短絡すると、異常検知回路１０の回路は、図３Ｄのように仮想的に表現できる。この場合、接続点Ｕに生じる電圧Ｖ３は、電圧Ｖ１を抵抗Ｒ１と抵抗Ｒ２，Ｒ３の合成抵抗（Ｒ２３＝１／（１／Ｒ２＋１／Ｒ３））との比に応じて分圧した値（以下、第４異常値）、つまり、
Ｖ３＝Ｖ１・Ｒ２３／（Ｒ１＋Ｒ２３）、となる。
【００２７】
第１，第２，第３，第４異常値はいずれも第２正常値より小さい値である。従って、マイコン４０は、第２正常値より小さく、かつ、第１，第２，第３，第４異常値の最大値より大きい値をしきい値ＴＨ２とする。
ここで、電圧Ｖ１＝１２Ｖ、電圧Ｖ２＝５Ｖ、抵抗Ｒ１＝３６ｋΩ、抵抗Ｒ２＝１２ｋΩ、抵抗Ｒ３＝３．６ｋΩ、と仮定して、第２正常値および第１，第２，第３，第４異常値を計算すると以下の値となる。
第２正常値＝約１．９２８Ｖ
第１異常値＝約１．１５３Ｖ
第２異常値＝約１．０７４Ｖ
第３異常値＝約１．０９０Ｖ
第４異常値＝約０．８５７Ｖ
【００２８】
このような計算例によれば、第２正常値＞第１異常値＞第３異常値＞第２異常値＞第４異常値となるので、マイコン４０は、第２正常値より小さく且つ第１異常値より大きい値（例えば、１．５Ｖ程度）をしきい値ＴＨ２とする。そして、しきい値ＴＨ＝ＴＨ２と設定した場合、マイコン４０は、入力ポート５０から入力する電圧Ｖ３としきい値ＴＨ２とを比較し、
Ｖ３≧ＴＨ２であれば電源部２０，３０のいずれも出力は正常と判定し、
Ｖ３＜ＴＨ２であれば電源部２０，３０のいずれかに出力の異常（開放あるいは短絡）が有ると判定する。
【００２９】
マイコン４０は、ステップＳ１２０やステップＳ１３０で異常有りの判定をした場合は、例えば、上述した電源回路の稼働を停止させたり、外部（ユーザ）へ警告を発する等して、当該異常に起因する装置１００の誤動作や部品の破損等を防ぐようにする。
【００３０】
このように第１実施例では、マイコン４０は、複数の電源部を起動させるタイミングを電源部毎にずらし、起動している電源部の少なくとも一部が異なる状況（図１〜３の例では、電源部２０のみが起動している状況と、電源部２０および電源部３０が起動している状況）毎に、１つの入力ポート５０で入力される電圧Ｖ３と比較して異常検知するためのしきい値ＴＨを異ならせる（しきい値ＴＨ１，ＴＨ２のいずれかにする）とした。したがって、起動している電源部の少なくとも一部が異なるそれぞれの状況において、電源部の出力の異常を的確に検知することができる。また、第１実施例は、図５の異常検知回路１のようにダイオードを使用するものでなく、かつ基準電圧Ｖｃｃによるプルアップも必要としないため、従来よりも安価かつ簡易（かつコンパクト）な構成を提供できる。
【００３１】
実施形態は上述の内容に限られるものではなく種々の態様が考えられ、後述するような各実施例を採用可能である。本明細書における実施形態や実施例を適宜組み合わせた構成も、本発明の開示範囲に入る。以下では、既に説明した事項が適宜適用されるものとし、主に、既に説明した事項と異なる点を主に説明する。
【００３２】
（第２実施例）
図４は、マイコン４０が第２実施例にかかるプログラムに従って実行する異常検知処理を示すフローチャートである。図４を図２を比較したとき、図２のステップＳ１３０の替わりに、図４のステップＳ１４０が実行される。ここで、ステップＳ１４０で用いるしきい値ＴＨ２１，ＴＨ２２，ＴＨ２３は、いずれもしきい値ＴＨ２より小さく、かつ、ＴＨ２１＞ＴＨ２２＞ＴＨ２３の関係を有している。第２実施例では、しきい値ＴＨ２，ＴＨ２１，ＴＨ２２，ＴＨ２３のいずれもが、第２しきい値に該当する。
【００３３】
具体的には、しきい値ＴＨ２１は、第１，第２，第３，第４異常値のうちの最大値より小さく、第１，第２，第３，第４異常値のうちの２番目に大きい値より大きい値である。
しきい値ＴＨ２２は、第１，第２，第３，第４異常値のうちの２番目に大きい値より小さく、第１，第２，第３，第４異常値のうちの３番目に大きい値より大きい値である。
しきい値ＴＨ２３は、第１，第２，第３，第４異常値のうちの３番目に大きい値より小さく、第１，第２，第３，第４異常値のうちの最小値より大きい値である。
【００３４】
第１実施例で述べた計算例によれば、第２正常値＞第１異常値＞第３異常値＞第２異常値＞第４異常値である。そのため、マイコン４０は、
第１異常値より小さく且つ第３異常値より大きい値をしきい値ＴＨ２１に設定し、
第３異常値より小さく且つ第２異常値より大きい値をしきい値ＴＨ２２に設定し、
第２異常値より小さく且つ第４異常値より大きい値をしきい値ＴＨ２３に設定する。
【００３５】
そして、マイコン４０は、ステップＳ１４０において、
Ｖ３≧ＴＨ２であれば電源部２０，３０のいずれも出力は正常と判定し、
ＴＨ２＞Ｖ３≧ＴＨ２１であれば異常Ａと判定し、
ＴＨ２１＞Ｖ３≧ＴＨ２２であれば異常Ｂと判定し、
ＴＨ２２＞Ｖ３≧ＴＨ２３であれば異常Ｃと判定し、
ＴＨ２３＞Ｖ３であれば異常Ｄと判定する。
【００３６】
第１実施例で述べた計算例によれば、異常Ａは、第１異常値（約１．１５３Ｖ）程度の電圧Ｖ３が発生していることに相当するため、マイコン４０は、異常Ａ＝電源部２０の出力の開放、と判定する。
また、前記計算例によれば、異常Ｂは、第３異常値（約１．０９０Ｖ）程度の電圧Ｖ３が発生していることに相当するため、マイコン４０は、異常Ｂ＝電源部３０の出力の開放、と判定する。
また、前記計算例によれば、異常Ｃは、第２異常値（約１．０７４Ｖ）程度の電圧Ｖ３が発生していることに相当するため、マイコン４０は、異常Ｃ＝電源部２０の出力の短絡、と判定する。
また、前記計算例によれば、異常Ｄは、第４異常値（約０．８５７Ｖ）程度の電圧Ｖ３が発生していることに相当するため、マイコン４０は、異常Ｄ＝電源部３０の出力の短絡、と判定する。
【００３７】
このような第２実施例によれば、電源部２０，３０のいずれも起動している状況において、マイコン４０は、１つの入力ポート５０で入力される電圧Ｖ３と比較して異常検知するためのしきい値を複数設定することで、どのような異常が発生したか（いずれの電源部の、開放あるいは短絡か）を正確に判定することができる。
【００３８】
（第３実施例）
電源部２０，３０は、起動の直後は出力が安定しない。そのためマイコン４０は、いずれかの電源部を起動させた後、所定時間の経過を待って、そのとき起動させている電源部の出力の異常の検知を開始するとしてもよい。具体的には、電源部２０を起動させた後、所定時間（例えば、２０ｍｓｅｃ）の経過を待って、電圧Ｖ３としきい値ＴＨ１との比較を開始する。また、電源部２０を起動させている状態でさらに電源部３０を起動させた場合も、電源部３０を起動させた後、所定時間（例えば、２０ｍｓｅｃ）の経過を待って、電圧Ｖ３としきい値ＴＨ２（あるいは、しきい値ＴＨ２，ＴＨ２１，ＴＨ２２，ＴＨ２３）との比較を開始する。このような構成によれば、マイコン４０は、電源部が起動した直後で出力が安定していない状況で、電源部の出力に対して異常と判定してしまうことを回避できる。
【００３９】
（その他）
異常検知回路１０が有する電源部の数は２つ（電源部２０，３０）に限定されず、３つ以上の電源部が含まれるとしてもよい。その場合も、各電源部から延出する各出力ラインには、一対一で各第１抵抗が一端を接続させ、各第１抵抗の他端は共通して第２抵抗（抵抗Ｒ３）と接続し、複数の第１抵抗の各他端と第２抵抗（抵抗Ｒ３）の一端とが共通して接続する接続点Ｕに生じる電圧Ｖ３が、マイコン４０の入力ポート５０へ入力される。マイコン４０は、複数の電源部を予め決められた順序で起動させていく。そして、１つの電源部を起動させてから全ての電源部を起動させるまでの各状況（起動している電源部の少なくとも一部が異なる各状況）毎に、電圧Ｖ３と比較するしきい値ＴＨを異ならせ、各状況それぞれにおいて、電源部の出力の異常検知を行う。
【００４０】
さらに、
・上記各実施例の中で開示した相互に置換可能な部材および構成等を適宜その組み合わせを変更して適用すること、
・上記各実施例の中で開示されていないが、公知技術であって上記各実施例の中で開示した部材および構成等と相互に置換可能な部材および構成等を適宜置換し、またその組み合わせを変更して適用すること、
・上記各実施例の中で開示されていないが、公知技術等に基づいて当業者が上記各実施例の中で開示した部材および構成等の代用として想定し得る部材および構成等と適宜置換し、またその組み合わせを変更して適用すること、
は本発明の一実施例として開示されるものである。
【符号の説明】
【００４１】
１０…異常検知回路、２０，３０…電源部、４０…マイコン、５０…Ａ／Ｄ入力ポート、Ｌ１１，Ｌ２１…出力ライン、Ｌ３１…入力ライン、Ｒ１，Ｒ２，Ｒ３…抵抗、Ｕ…接続点
【図１】
2015210152.tif 000003
【図２】
2015210152.tif 000004
【図３】
2015210152.tif 000005
【図４】
2015210152.tif 000006
【図５】
2015210152.tif 000007